(57)【要約】【課題】加熱調理器の設置時あるいは取り外し時に、作業者が排気口から手を入れて天板フレームを持った場合に、トッププレートに施された印刷を保護することができるものである。【解決手段】加熱調理器は、上部に開口を有する箱状に形成された筐体と、筐体内において被加熱物を加熱する加熱コイルが配置された仕切板と、加熱コイルと対向するように筐体の開口を覆うトッププレートと、トッププレートの外周部に設けられ、筐体内の空気が排出される排気口が形成された天板フレームと、トッププレートと仕切板との間に配置される手かけ部材と、を備え、手かけ部材は、排気口と連通する開口部が形成された上壁部と、上壁部から仕切板に延設され、加熱コイル側の壁部を構成する前壁部と、を有し、前壁部は、トッププレートと仕切板との間の空間に膨出する膨出部を有するものである。【選択図】図２
2018163805.tif 000002
【特許請求の範囲】
【請求項１】
上部に開口を有する箱状に形成された筐体と、
前記筐体内において被加熱物を加熱する加熱コイルが配置された仕切板と、
前記加熱コイルと対向するように前記筐体の開口を覆うトッププレートと、
前記トッププレートの外周部に設けられ、前記筐体内の空気が排出される排気口が形成された天板フレームと、
前記トッププレートと前記仕切板との間に配置される手かけ部材と、
を備え、
前記手かけ部材は、
前記排気口と連通する開口部が形成された上壁部と、
前記上壁部から前記仕切板に延設され、前記加熱コイル側の壁部を構成する前壁部と、
を有し、
前記前壁部は、
前記トッププレートと前記仕切板との間の空間に膨出する膨出部を有する加熱調理器。
【請求項２】
前記膨出部は、
前記トッププレートと離間して対向する平板状の天井壁を形成する指かかり部と、
前記指かかり部の、前記上壁部とは反対側の側縁から前記仕切板の方向に延設され、前記仕切板に固定される下段前壁部と、
を有する請求項１に記載の加熱調理器。
【請求項３】
前記下段前壁部には、前記下段前壁部の中間部から上端部にかけて上下方向に開口したスリット状の通気孔が、前記開口部の長手方向に並列して形成されている請求項２に記載の加熱調理器。
【請求項４】
前記天板フレームは、前記排気口の縁部に、前記筐体内に突出するようにバーリング形状が形成されているバーリング部を有しており、前記上壁部が前記バーリング部の縁端と接している請求項２又は３に記載の加熱調理器。
【請求項５】
前記上壁部に形成された前記開口部の縁部は、平面視で前記排気口の開口内に位置している請求項２〜４のいずれか１項に記載の加熱調理器。
【請求項６】
前記開口部の縁端は、前記上壁部の厚さ方向にＲ形状で形成され、または、密着曲げで形成されている請求項５に記載の加熱調理器。
【請求項７】
前記指かかり部には、仕切板側に突出する複数の突出部が前記膨出部の膨出方向に延びるように形成されており、前記複数の突出部は、前記開口部の長手方向に並列して配列されている請求項２〜６のいずれか１項に記載の加熱調理器。
【請求項８】
前記突出部は、前記突出部の突出する高さが前記突出部の幅よりも小さく形成されている請求項７に記載の加熱調理器。
【請求項９】
前記仕切板は、
前記加熱コイルが配置される平坦部と、
前記排気口と対向するように前記平坦部から下方に凹むように形成された水受け部を有する請求項２〜８のいずれか１項に記載の加熱調理器。
【請求項１０】
前記手かけ部材は、前記上壁部と前記前壁部とを接続し、互いに対向する側壁部を有し、
前記側壁部と前記指かかり部とには、前記加熱コイルが配置されている空間側に突出する一連のリブが形成されており、
前記リブは、前記側壁部の下端部から指かかり部にかけて形成されており、前記指かかり部において前記開口部の長手方向に延びるように形成されていると共に、前記リブの下端部は、前記水受け部の上方に配置されている請求項９に記載の加熱調理器。
【請求項１１】
前記側壁部には、貫通孔である側壁開口部が形成されている請求項１０に記載の加熱調理器。
【請求項１２】
前記水受け部の一部には、貫通孔である水抜き孔が形成されている請求項９〜１１のいずれか１項に記載の加熱調理器。
【請求項１３】
前記下段前壁部の下端には、前記膨出部の膨出方向に突出する１又は複数の係合部が形成されており、
前記平坦部には、前記係合部と係合する係合孔が形成されており、前記係合部と前記係合孔とが係合している状態において、前記係合孔は、前記係合部と前記水受け部との間で開口している請求項１２に記載の加熱調理器。
【請求項１４】
前記筐体は、収納物を収納する収納庫を更に有し、
前記水抜き孔と前記係合孔とは、平面視で、前記筐体内において前記収納庫と前記筐体の壁部との間に形成されている請求項１３に記載の加熱調理器。
【発明の詳細な説明】
【技術分野】
【０００１】
本発明は、トッププレートに載置された被加熱物を加熱する加熱調理器に関するものである。
【背景技術】
【０００２】
従来より、キッチンテーブルに設けられたテーブル開口部に筐体が挿入され、天板フレームがキッチンテーブルに載置され、筐体がキッチンテーブルに懸吊される組み込み式の加熱調理器が提供されている（例えば、特許文献１参照）。
【先行技術文献】
【特許文献】
【０００３】
【特許文献１】特開２０１０−５５７５８号公報
【発明の概要】
【発明が解決しようとする課題】
【０００４】
しかしながら、特許文献１に記載の加熱調理器は、作業者が天板フレームをキッチンテーブルに載置する際に、作業者が天板フレームの外縁を持って作業する場合には、天板フレームとキッチンテーブルとの間に指を挟む恐れがある。そのため、作業者は、天板フレームに設けられた排気口に手をかけて加熱調理器を保持し、天板フレームをキッチンテーブルに載置する場合がある。しかし、トッププレートの裏面には、例えば注意書きなどの印刷が施されている。そのため、作業者が天板フレームをキッチンテーブルに載置する際に、排気口から手を入れて天板フレームに手をかけた場合に、指先又は爪がトッププレートの裏面に施された印刷に触れてしまい印刷を傷つけてしまう場合がある。
【０００５】
本発明は、上記のような課題を解決する為になされたもので排気口から手を入れて天板フレームに手をかけた場合でも、トッププレートの裏面に施された印刷が保護される加熱調理器の提供を目的とする。
【課題を解決するための手段】
【０００６】
本発明に係る加熱調理器は、上部に開口を有する箱状に形成された筐体と、筐体内において被加熱物を加熱する加熱コイルが配置された仕切板と、加熱コイルと対向するように筐体の開口を覆うトッププレートと、トッププレートの外周部に設けられ、筐体内の空気が排出される排気口が形成された天板フレームと、トッププレートと仕切板との間に配置される手かけ部材と、を備え、手かけ部材は、排気口と連通する開口部が形成された上壁部と、上壁部から仕切板に延設され、加熱コイル側の壁部を構成する前壁部と、を有し、前壁部は、トッププレートと仕切板との間の空間に膨出する膨出部を有するものである。
【発明の効果】
【０００７】
本発明による加熱調理器によれば、トッププレートと仕切板との間に配置される手かけ部材を備えている。そして、手かけ部材は、排気口と連通する開口部が形成された上壁部と、上壁部から仕切板に延設され、加熱コイル側の壁部を構成する前壁部とを有し、前壁部は、トッププレートと仕切板との間の空間に膨出する膨出部を有している。そのため、加熱調理器のキッチン天板への設置時あるいはキッチン天板からの取り外し時に、作業者が排気口から手を入れて天板フレームに手をかけた場合に、作業者の指は膨出部にかかる。その結果、作業者の指又は爪はトッププレートの裏面に施された印刷に触れることはなく、トッププレートに施された印刷を保護することができる。
【図面の簡単な説明】
【０００８】
【図１】本発明の実施の形態１に係る加熱調理器の外観構造示す斜視図である。
【図２】図１の加熱調理器の分解斜視図である。
【図３】図１の加熱調理器をＺ軸方向に切断したＡ−Ａ線断面図である。
【図４】図３の加熱調理器のＢ部の拡大図である。
【図５】仕切板の斜視図である。
【図６】図１の加熱調理器から排気カバーを外した斜視図である。
【図７】図６の加熱調理器のＣ部の拡大図である。
【図８】図７の加熱調理器のＤ−Ｄ線断面図である。
【図９】手かけ部材の斜視図である。
【図１０】手かけ部材の裏側斜視図である。
【図１１】図９の手かけ部材をＺ軸方向に切断したＦ−Ｆ線断面図である。
【発明を実施するための形態】
【０００９】
以下、本発明における加熱調理器１００について、図面を用いて詳細に説明する。なお、以下の図面では各構成部材の大きさの関係が実際のものとは異なる場合がある。また、以下の図面において、同一の符号を付したものは、同一又はこれに相当するものであり、このことは明細書の全文において共通することとする。さらに、明細書全文に表わされている構成要素の形態は、あくまでも例示であって、これらの記載に限定されるものではない。
【００１０】
実施の形態１．
図１は、本発明の実施の形態１に係る加熱調理器の外観構造示す斜視図である。図２は、図１の加熱調理器の分解斜視図である。図１及び図２を参照して加熱調理器１００の各部の構成を説明する。なお、図１において示すＸ軸は、Ｘ１側を左、Ｘ２側を右として加熱調理器１００の左右の幅方向を示す。また、Ｙ軸は、Ｙ１側を前、Ｙ２側を後として加熱調理器１００の前後の奥行き方向を示す。さらに、Ｚ軸は、Ｚ１側を上、Ｚ２側を下として加熱調理器１００の上下方向を示すものである。
【００１１】
［加熱調理器］
本発明の実施の形態１に係る加熱調理器１００は、例えば、キッチンテーブルに組み込まれて使用される２口用の誘導加熱調理器である。加熱調理器１００は、上部に開口を有する箱状に形成された筐体１０と、筐体１０内において被加熱物を加熱する加熱コイル１１が配置された仕切板１２と、加熱コイル１１と対向するように筐体１０の開口を覆うトッププレート１３と、トッププレート１３の外周部に設けられ、筐体１０内の空気が排出される排気口１４が形成された天板フレーム１５と、トッププレート１３と仕切板１２との間に配置される手かけ部材２０とを備える。
【００１２】
［筐体］
筐体１０は、前後の側壁として外郭を形成する前側壁部１０ａ及び後側壁部１０ｃと、左右の側壁として外郭を形成する左側壁部１０ｂ及び右側壁部１０ｄと、底部として外郭を形成する底板１０ｅとで構成され、上面を開口する箱状に形成されている。筐体１０は、前側壁部１０ａ、後側壁部１０ｃ、左側壁部１０ｂ、右側壁部１０ｄの各上縁部が筐体１０の外側に向かって折り曲げられており、各上縁部がキッチン天板の上に設置されて筐体１０はキッチン天板に懸吊される。後側壁部１０ｃには、複数の貫通孔で構成された吸気口が形成されており、前側壁部１０ａは、収納庫１６の扉体１６ａと、化粧パネル１７とで覆われている。扉体１６ａと化粧パネル１７とは、キッチンテーブルの正面に設けられた引出パネルと同一面上になるように設置されている。
【００１３】
化粧パネル１７は、筐体１０の前側壁部１０ａに固定されている。筐体１０の化粧パネル１７側の内部には、スイッチング素子、整流回路、その他の電子部品等から構成される加熱コイル１１用の制御基板（図示せず）と、この制御基板を冷却する冷却ファン（図示せず）が配設されている。冷却ファンの冷却風は、後側壁部１０ｃに形成された吸気口から吸引され、制御基板を冷却した後、加熱コイル１１を冷却している。
【００１４】
図３は、図１の加熱調理器をＺ軸方向に切断したＡ−Ａ線断面図である。筐体１０の扉体１６ａ側の内部には、収納庫１６が配置されている。収納庫１６は、筐体１０の奥行き方向（Ｙ軸方向）において、前側壁部１０ａの開口部１０ａ１（Ｙ１側）から筐体１０内の奥側（Ｙ２側）に長く延びる板金製の箱形状に形成されている。この収納庫１６には、例えば、図３に示すような鍋１９等の調理容器、あるいは、樹脂製のしゃもじ、へら、おろし金等の調理小物、調味料のような収納物が収納される。収納庫１６の左右の側面板にそれぞれガイド部が設けられている。収納庫１６の開口部１０ａ１を開閉する扉体１６ａには、ガイド部にそれぞれ設けられた固定レール内を前後に摺動する一対の摺動レールが取り付けられている。
【００１５】
［仕切板］
図４は、図３の加熱調理器のＢ部の拡大図である。図５は、仕切板の斜視図である。なお、図４では、排気カバー１８は省略している。図２〜図５を用いて仕切板１２について説明する。図２及び図３に示すように、筐体１０は、筐体１０の内部において、前側壁部１０ａ、左側壁部１０ｂ、後側壁部１０ｃ、及び右側壁部１０ｄの上端と下端との間（Ｚ軸）の位置において、仕切板１２を設けている。仕切板１２は、加熱コイル１１と収納庫１６との間に設置された隔壁である。仕切板１２は、図４及び図５に示すように、加熱コイル１１が配置される平坦部１２ａと、排気口１４と対向するように平坦部１２ａから下方に凹むように形成された水受け部１２ｂとを有する。また、仕切板１２は、後側壁部１０ｃと対向するように水受け部１２ｂから後側壁部１０ｃの上端まで延設された奥壁部１２ｃを有する。
【００１６】
仕切板１２の平坦部１２ａには、図２に示すように、トッププレート１３に載置される鍋などの被加熱物を誘導加熱する加熱コイル１１が配置されている。加熱コイル１１は、誘導加熱コイルである。加熱コイル１１は、図２に示す加熱コイル１１ａ及び加熱コイル１１ｂの総称である。加熱コイル１１ａは、図２では筐体１０の内部において左側（Ｘ１側）に配置された加熱コイルであり、仕切板１２に配置された加熱コイルである。加熱コイル１１ｂは、図２では筐体１０の内部において右側（Ｘ２側）に配置された加熱コイルであり、制御基板をカバーする加熱コイル支持台に配置された加熱コイルである。なお、本発明の実施の形態１に係る加熱調理器１００では、加熱コイル１１ａ及び加熱コイル１１ｂの２つの加熱コイルが筐体１０内に配設されているが、加熱コイル１１の配設数は、１つ又は３以上の複数であってもよい。また、本発明の実施の形態１に係る加熱調理器１００では、加熱手段として加熱コイル１１を用いているが、いずれか１つ又は複数の加熱コイルを、例えばラジエントヒーターのような電熱線からなる輻射式加熱手段としてもよい。
【００１７】
水受け部１２ｂは、排気口１４から入り込んだ液体を受け、収納庫１６内に液体が入り込まないようにするものである。水受け部１２ｂは、平面視で、筐体１０内において収納庫１６と後側壁部１０ｃとの間に配置されており、筐体１０の奥行き方向（Ｙ軸方向）において収納庫１６よりも奥側（Ｙ２側）に配置されている。水受け部１２ｂの一部には、貫通孔である水抜き孔１２ｄが形成されている。水抜き孔１２ｄは、水受け部１２ｂで受けた液体を筐体１０の下方に排水するための孔である。なお、排水される液体の流れは図４において点線で示されている。水抜き孔１２ｄは、液体が水抜き孔１２ｄを通過して落下しても収納庫１６あるいは駆動基板にかからない場所に形成されている。例えば、水抜き孔１２ｄは、平面視で、筐体１０内において収納庫１６と筐体１０の後側壁部１０ｃとの間に形成されており、筐体１０の奥行き方向（Ｙ軸方向）において収納庫１６よりも奥側（Ｙ２側）に形成されている。水抜き孔１２ｄは、図５では、矩形状に切り欠かれているが、貫通孔であればよく、例えば、複数のパンチ孔で形成されていてもよい。仕切板１２の平坦部１２ａには、ネジ孔１２ａ１と係合孔１２ａ２とが形成されている。ネジ孔１２ａ１は、手かけ部材２０をねじ止めして固定するための孔である。係合孔１２ａ２は、後述する手かけ部材２０の係合部が挿入されて係合部と係合する孔である。また、係合孔１２ａ２は、水受け部１２ｂから溢れた液体を筐体１０の下方に排水するための孔である。なお、排水される液体の流れは図４において点線で示されている。係合孔１２ａ２は、平面視で、筐体１０内において収納庫１６と筐体１０の後側壁部１０ｃとの間に形成されており、筐体１０の奥行き方向（Ｙ軸方向）において収納庫１６よりも奥側（Ｙ２側）に形成されている。
【００１８】
［トッププレート］
トッププレート１３は、図２及び図３に示すように、加熱コイル１１と対向するように筐体１０の開口を覆う。トッププレート１３は、例えば、全体が耐熱強化ガラス又は結晶化ガラスにより形成され、天板フレーム１５の開口部の形状に合わせて長方形又は正方形等の矩形状に形成されている。トッププレート１３の上には誘導加熱される鍋等の被加熱物が載置される。トッププレート１３の裏面には、印刷が施されており、例えば、加熱コイル１１ａ及び加熱コイル１１ｂのそれぞれ対応した加熱位置の表示、加熱調理器１００の使用方法、加熱調理器１００の使用上の注意等の表示が印刷されている。
【００１９】
［天板フレーム］
図６は、図１の加熱調理器から排気カバーを外した斜視図である。天板フレーム１５は、トッププレート１３の外周部に設けられ、筐体１０内の空気が排出される排気口１４が形成されている。天板フレーム１５は、全体がステンレス板又はアルミ板などの金属製板によって額縁状に形成されている。トッププレート１３の外周部と天板フレーム１５の開口部との間には、シール材（図示せず）を介在させており、両者が水密状態に固定されている。このように、天板フレーム１５とトッププレート１３との対面部分に形成される隙間はシール材により塞がれているため、トッププレート１３の上面から筐体１０の内部に液体などが浸入しないように構成されている。図２及び図６に示すように、天板フレーム１５は、筐体１０の奥行き方向（Ｙ軸方向）において、トッププレート１３よりも手前側（Ｙ１側）を前部枠体１５ａとして操作表示部１５ａ１が設けられている。また、天板フレーム１５は、筐体１０の奥行き方向（Ｙ軸方向）において、トッププレート１３よりも奥側（Ｙ２側）を後部枠体１５ｂとして排気口１４が形成されている。
【００２０】
操作表示部１５ａ１は、使用者による操作を受け付けるとともに加熱条件や動作状態を表示する。操作表示部１５ａ１は、例えば、加熱コイル１１の電源を入り切りするスイッチ、加熱コイル１１の加熱量を操作する複数の操作ボタン、加熱コイル１１の現在の加熱量を表示する表示部等を備えている。また、操作表示部１５ａ１の下方には操作基板が設けられており、使用者により操作表示部１５ａ１の操作ボタンを介して操作基板に操作信号が入力される。
【００２１】
図７は、図６の加熱調理器のＣ部の拡大図である。図８は、図７の加熱調理器のＤ−Ｄ線断面図である。なお、図８では排気口１４内に挿入された作業者の指Ｅ１が記載されている。図６〜図８を用いて排気口１４について説明する。図６に示す排気口１４は、筐体１０内を冷却した空気を筐体１０から外部に排出するための開口部である。排気口１４は、２つの排気口１４ａ及び排気口１４ｂの総称である。排気口１４ａは、貫通孔であり、図６に示すように、矩形状の開口孔として天板フレーム１５の後部枠体１５ｂに形成されている。矩形状の排気口１４ａは、図７に示すように、加熱調理器１００の左右の幅方向が長手方向として形成され、加熱調理器１００の前後の奥行き方向が短手方向として形成されている。なお、排気口１４ａの長手方向と短手方向の幅は、加熱調理器１００をキッチン天板に設置し又はキッチン天板から取り外す際に作業者の指が挿入できる幅に形成されている。天板フレーム１５は、図８に示すように、排気口１４ａの縁部に、筐体１０内に突出するようにバーリング形状が形成されているバーリング部１４ａ１を有している。排気口１４ｂは、複数のスリット状の開口孔から構成されており、天板フレーム１５の後部枠体１５ｂに形成されている。排気口１４には、図１及び図２に示すように排気カバー１８が設置される。排気カバー１８は、排気口１４に対して左右に２分割された左排気カバー１８ａと右排気カバー１８ｂとで構成され、それぞれ後部枠体１５ｂに取り外し自在に設置されている。この排気カバー１８は、排気口１４に異物が入らないようにするためのものである。排気口１４の内部には、図８に示すように、トッププレート１３と仕切板１２との間に手かけ部材２０が配置されている。
【００２２】
［手かけ部材］
図９は、手かけ部材の斜視図である。図１０は、手かけ部材の裏側斜視図である。図１１は、図９の手かけ部材をＺ軸方向に切断したＦ−Ｆ線断面図である。図８〜図１１を用いて手かけ部材２０について説明する。手かけ部材２０は、加熱調理器１００のキッチンテーブルへの設置時あるいはキッチンテーブルからの取り外し時に、加熱調理器１００を把持するために作業者が手をかける部分である。手かけ部材２０は、プラスチック又は金属材料で形成されている。手かけ部材２０は、図８に示すように、排気口１４ａと連通する開口部２１ａが形成された上壁部２１と、上壁部２１から仕切板１２に延設され、加熱コイル１１側の壁部を構成する前壁部２２と、を有する。
【００２３】
上壁部２１は、図８に示すように、天板フレーム１５の後部枠体１５ｂと対向する位置に配置され、上壁部２１の上側（Ｚ１側）の壁が、天板フレーム１５のバーリング部１４ａ１の縁端と接している。上壁部２１には、後部枠体１５ｂに形成された排気口１４ａと連通する貫通孔である開口部２１ａが形成されている。上壁部２１に形成された開口部２１ａの開口は、図７に示すように、排気口１４ａの開口よりも小さく形成されている。すなわち、上壁部２１に形成された開口部２１ａの縁部は、平面視で排気口１４ａの開口内に位置している。また、開口部２１ａの開口形状は、図７では、排気口１４ａの開口形状と相似している。開口部２１ａの縁端は、上壁部２１の厚さ方向にＲ形状で形成され、または、密着曲げで形成されている。Ｒ形状は、開口部２１ａの縁端の鉛直方向断面において、上方の角部と下方の角部とがＲ面取りされて形成されている。なお、開口部２１ａは、図９に示すように、矩形状の開口孔として形成されており、加熱調理器１００の左右の幅方向が長手方向として形成され、加熱調理器１００の前後の奥行き方向が短手方向として形成されている。開口部２１ａの長手方向と短手方向の幅は、加熱調理器１００をキッチン天板に設置し又はキッチン天板から取り外す際に作業者の指が挿入できる幅に形成されている。
【００２４】
前壁部２２は、図８に示すように、トッププレート１３と仕切板１２との間の空間に膨出する膨出部２３を有する。膨出部２３は、筐体１０の奥行き方向（Ｙ軸方向）において、平面視で排気口１４からトッププレート１３の方向（Ｙ２側からＹ１側の方向）に膨出する。膨出部２３は、図８及び図９に示すように、トッププレート１３と離間して対向する平板状の天井壁を形成する指かかり部２４と、指かかり部２４の、上壁部２１とは反対側の側縁から仕切板１２の方向に延設され、仕切板１２に固定される下段前壁部２５と、を有する。手かけ部材２０の弾性変形を考慮し、作業者が膨出部２３に指をかけて加熱調理器１００を把持しても、膨出部２３がトッププレート１３と接触しない間隔で手かけ部材２０が形成されている。
【００２５】
指かかり部２４には、図１０及び図１１に示すように、仕切板１２側に突出する複数の突出部２４ａが膨出部２３の膨出方向に延びるように形成されている。また、複数の突出部２４ａは、開口部２１ａの長手方向に並列して配列されている。各突出部２４ａは、突出部２４ａの突出する高さＨが突出部２４ａの幅Ｗよりも小さく形成されている。なお、突出部２４ａは、指かかり部２４から上壁部２１にかけて、前壁部２２の奥壁部１２ｃと対向する面にも形成されている。前壁部２２に突出部２４ａを形成することで、手かけ部材２０の強度を確保することができる。
【００２６】
下段前壁部２５には、下段前壁部２５の中間部２５ｄから上端部２５ｅにかけて上下方向に開口したスリット状の通気孔２５ａが、開口部２１ａの長手方向に並列して形成されている。通気孔２５ａは貫通孔であり、通気孔２５ａの幅は、作業者の指が挿入できない大きさに形成されている。なお、通気孔２５ａは、下段前壁部２５に格子状に形成されていてもよい。通気孔２５ａは、筐体１０の内部空間と排気口１４を介して外部空間とを連通させる開口孔である。加熱コイル１１を冷却した空気は、排気口１４に向かって通気孔２５ａを通過する。下段前壁部２５の下端には、膨出部２３の膨出方向に突出する１又は複数の係合部２５ｂが形成されている。係合部２５ｂと係合孔１２ａ２とが係合している状態において、図８に示すように、係合孔１２ａ２は、係合部２５ｂと水受け部１２ｂとの間で開口している。また、係合部２５ｂと係合孔１２ａ２とが係合している状態において、図８に示すように、下段前壁部２５は、係合孔１２ａ２の水受け部１２ｂの方向の反対側の縁部から立設している。そのため、下段前壁部２５は、排気口１４から浸入した液体が筐体１０内に流れ込まないように防水壁として機能する。下段前壁部２５の下端には、ネジ孔２５ｃが形成されている。手かけ部材２０は、仕切板１２の平坦部１２ａに形成されたネジ孔１２ａ１とネジ孔２５ｃとを介してねじ止めされて仕切板１２に固定されている。
【００２７】
手かけ部材２０は、上壁部２１と前壁部２２とを接続し、互いに対向する側壁部２６を有する。手かけ部材２０は、互いに対向する側壁部２６を有することで作業者が手かけ部材２０に手をかけて加熱調理器１００を把持しても構造上の強度を確保することができる。側壁部２６には、貫通孔である側壁開口部２６ａが形成されている。図９及び図１０では、側壁開口部２６ａは、切り欠き形状に形成されているが、側壁開口部２６ａは、貫通孔であればよく、矩形あるいは円形の貫通孔、複数のパンチ孔が設けられた貫通孔であってもよい。
【００２８】
側壁部２６と指かかり部２４とには、加熱コイル１１が配置されている空間側に突出する一連のリブ２７が形成されている。リブ２７は、側壁部２６の下端部２６ｂから指かかり部２４にかけて形成されており、指かかり部２４において開口部２１ａの長手方向に延びるように形成されていると共に、リブ２７の下端部２７ａは、水受け部１２ｂ上に配置されている。
【００２９】
次に、図２を用いて加熱調理器１００の動作と加熱調理器１００内を流れる空気の流れについて説明する。加熱コイル１１が設けられた加熱口で加熱調理を行う場合、使用者がトッププレート１３の加熱位置の表示上に鍋等の被加熱物を載置して操作表示部１５ａ１に加熱開始の指示を入力する。操作表示部１５ａ１に加熱開始の指示をすると、駆動基板から加熱コイル１１に高周波電力が供給され、トッププレート１３の上に載置された被加熱物が誘導加熱される。また、冷却ファンが動作を開始する。
【００３０】
冷却ファンが動作すると、筐体１０内の後側壁部１０ｃ側が負圧となり、筐体１０の外側の空気が、後側壁部１０ｃに形成された吸気口から筐体１０の内部へと吸い込まれる。筐体１０の内部へと吸い込まれた空気は、筐体１０内の下部部空間に設けられた駆動基板等の機器の周囲を通過してこれらの機器を冷却して筐体１０の前方に向かう。筐体１０の前方に向かった空気は、上方に向かって流れ、下部空間から上部空間に吹出される。
【００３１】
上部空間に吹出された空気は、加熱コイル１１に吹き付けられて加熱コイル１１の周囲を通過する。加熱コイル１１は、加熱コイル１１の周囲を通過する空気によって冷却される。加熱コイル１１の周囲を通過する空気は、通気孔２５ａ及び側壁開口部２６ａを通過し排気口１４から加熱調理器１００の外部へと流出する。
【００３２】
以上のように加熱調理器１００は、トッププレート１３と仕切板１２との間に配置される手かけ部材２０を備えている。手かけ部材２０は、排気口１４と連通する開口部２１ａが形成された上壁部２１と、上壁部２１から仕切板１２に延設され、加熱コイル１１側の壁部を構成する前壁部２２とを有する。そして、前壁部２２は、トッププレート１３と仕切板１２との間の空間に膨出する膨出部２３を有している。そのため、加熱調理器１００のキッチン天板への設置時あるいはキッチン天板からの取り外し時に、作業者が排気口１４から手を入れて天板フレーム１５に手をかけて加熱調理器１００を把持した場合、作業者の指は膨出部２３にかかる。その結果、作業者の指又は爪はトッププレート１３の裏面に施された印刷に触れることはなく、トッププレート１３に施された印刷を保護することができる。
【００３３】
また、加熱調理器１００は、膨出部２３が、トッププレート１３と離間して対向する平板状の天井壁を形成する指かかり部２４と、指かかり部２４の、上壁部２１とは反対側の側縁から仕切板１２の方向に延設され、仕切板１２に固定される下段前壁部２５と、を有する。そのため、加熱調理器１００のキッチン天板への設置時あるいはキッチン天板からの取り外し時に、作業者が排気口１４から手を入れて加熱調理器１００を把持した場合、作業者は、指かかり部２４に指をかけやすい。その結果、作業者は、加熱調理器１００の設置あるいは取り外しの作業をしやすくなる。また、加熱調理器１００は、下段前壁部２５を有することで、下段前壁部２５が防水壁として機能し、排気口１４ａから浸入した液体が筐体１０内で加熱コイル１１に向かうことを防ぐことができる。
【００３４】
また、加熱調理器１００は、指かかり部２４には、仕切板１２側に突出する複数の突出部２４ａが膨出部２３の膨出方向に延びるように形成されており、複数の突出部２４ａは、開口部２１ａの長手方向に並列して配列されている。そのため、加熱調理器１００のキッチン天板への設置時あるいはキッチン天板からの取り外し時に、作業者が排気口１４から手を入れて加熱調理器１００を把持した場合、作業者は、さらに指かかり部２４に指をかけやすい。その結果、作業者は、加熱調理器１００の設置あるいは取り外しの作業をしやすくなる。
【００３５】
また、加熱調理器１００は、突出部２４ａが、突出部２４ａの突出する高さＨが突出部２４ａの幅Ｗよりも小さく形成されている。そのため、加熱調理器１００のキッチン天板への設置時あるいはキッチン天板からの取り外し時に、作業者が排気口１４から手を入れて加熱調理器１００を把持した場合、作業者は、指かかり部２４に指をかけやすく、突出部２４ａの凹凸による痛みを感じない。その結果、作業者は、加熱調理器１００の設置あるいは取り外しの作業をしやすくなる。
【００３６】
また、加熱調理器１００は、上壁部２１が、後部枠体１５ｂと対向する位置に配置され、後部枠体１５ｂに形成された排気口１４ａと連通する開口部２１ａが形成されている。また、上壁部２１は、バーリング部１４ａ１の縁端と接している。そのため、加熱調理器１００の設置時あるいは取り外し時に、加熱調理器１００を把持するために作業者が排気口１４ａと開口部２１ａとを介して筐体１０内に手を入れることができる。そして、作業者が、排気口１４ａ内に手をかけたとしても、作業者の手及び指は、バーリング部１４ａ１に触れることはなく、作業者が作業時に手及び指に怪我をすることを防止できる。
【００３７】
また、加熱調理器１００は、上壁部２１に形成された開口部２１ａの開口は、排気口１４ａの開口よりも小さく形成されている。すなわち、上壁部２１に形成された開口部２１ａの縁部は、平面視で排気口１４ａの開口内に位置している。そのため、加熱調理器１００のキッチン天板への設置時あるいはキッチン天板からの取り外し時に、加熱調理器１００を把持するために作業者が排気口１４ａ内に手をかけたとしても、作業者の手及び指は、バーリング部１４ａ１に触れることはなく、作業者が作業時に手及び指に怪我をすることを防止できる。
【００３８】
また、加熱調理器１００は、開口部２１ａの縁端が、上壁部２１の厚さ方向にＲ形状で形成され、または、密着曲げで形成されている。そのため、加熱調理器１００のキッチン天板への設置時あるいはキッチン天板からの取り外し時に、加熱調理器１００を把持するために作業者が開口部２１ａに手をかけたとしても、開口部２１ａの縁端は曲面で形成されており、作業者が作業時に手及び指に怪我をすることを防止できる。
【００３９】
また、加熱調理器１００は、下段前壁部２５には、下段前壁部２５の中間部２５ｄから上端部２５ｅにかけて上下方向に開口したスリット状の通気孔２５ａを、開口部２１ａの長手方向に並列して形成されている。そのため、筐体１０内は通気性が確保され、加熱コイル１１を冷却した空気が、通気孔２５ａを介して排気口１４から外部に排出されるので、冷却性能が低下することがない。また、通気孔２５ａは、スリット状に形成されており、作業者の指が、必要以上に筐体１０内の加熱コイル１１側に入らない。その結果、作業者の指又は爪はトッププレート１３の裏面に施された印刷に触れることはなく、トッププレート１３に施された印刷を保護することができる。
【００４０】
また、加熱調理器１００は、仕切板１２が、加熱コイル１１が配置される平坦部１２ａと、排気口１４と対向するように平坦部１２ａから下方に凹むように形成された水受け部１２ｂとを有する。そのため、排気口１４から入り込んだ液体は、水受け部１２ｂで受けられ、排気口１４から入り込んだ液体が、収納庫１６内に入り込まないようにすることができる。
【００４１】
また、加熱調理器１００は、水受け部１２ｂの一部に、貫通孔である水抜き孔１２ｄが形成されている。そのため、排気口１４ａから浸入して水受け部１２ｂで受けた液体を、水抜き孔１２ｄを介して排水することができる。
【００４２】
また、加熱調理器１００は、下段前壁部２５の下端に、膨出部２３の膨出方向に突出する１又は複数の係合部２５ｂが形成されている。仕切板１２の平坦部１２ａに手かけ部材２０の係合部２５ｂと係合する係合孔１２ａ２が形成されている。係合部２５ｂと係合孔１２ａ２とが係合している状態において、係合孔１２ａ２は、係合部２５ｂと水受け部１２ｂとの間で開口している。そのため、排気口１４ａから浸入した液体が、水受け部１２ｂから溢れたとしても、係合孔１２ａ２が水抜け孔の役割を果たして、筐体１０の内部への水の浸入を防ぐことができる。
【００４３】
また、加熱調理器１００は、水抜き孔１２ｄと係合孔１２ａ２とが、平面視で、筐体１０内において収納庫１６と筐体１０の後側壁部１０ｃとの間に形成されている。そのため、水抜き孔１２ｄと係合孔１２ａ２とを介して排水された液体が、収納庫１６内に浸入することを防ぐことができる。
【００４４】
また、加熱調理器１００は、手かけ部材２０が、上壁部２１と前壁部２２とを接続し、互いに対向する側壁部２６を有する。手かけ部材２０は、互いに対向する側壁部２６を有することで作業者が手かけ部材２０に手をかけて加熱調理器１００を把持しても構造上の強度を確保することができる。さらに、加熱調理器１００は、側壁部２６に、貫通孔である側壁開口部２６ａが形成されている。そのため、筐体１０内は通気性が確保され、加熱コイル１１を冷却した空気が、側壁開口部２６ａを介して排気口１４から外部に排出される。
【００４５】
また、加熱調理器１００は、側壁部２６と指かかり部２４とに、加熱コイル１１が配置されている空間側に突出する一連のリブ２７が形成されている。そして、リブ２７は、側壁部２６の下端部２６ｂから指かかり部２４にかけて形成されており、指かかり部２４において開口部２１ａの長手方向に延びるように形成されていると共に、リブ２７の下端部２７ａは、水受け部１２ｂの上方に配置されている。そのため、天板フレーム１５と手かけ部材２０との当接面から入り込んだ液体は、膨出部２３で側方へ逃がされ、水受け部１２ｂで受けられる。その結果、天板フレーム１５と手かけ部材２０との当接面から入り込んだ液体が、収納庫１６内に入り込まないようにすることができる。
【００４６】
また、加熱調理器１００は、手かけ部材２０が、プラスチックで形成されている。そのため、加熱調理器１００のキッチン天板への設置時あるいはキッチン天板からの取り外し時に、加熱調理器１００を把持するために、作業者が、排気口１４ａ内に手をかけたとしても、作業者の手及び指は、比較的柔軟なプラスチック部材に触れるため、作業者が作業時に手及び指に怪我をすることを防止できる。
【００４７】
なお、本発明の実施の形態は、上記実施の形態１に限定されない。たとえば、加熱調理器１００は、収納庫１６を有しているが、収納庫１６の代わりに、例えば魚焼きグリル、あるいは、オーブンなどの調理庫を備えていてもよい。また、膨出部２３は、平板状の指かかり部と、下段前壁部とで形成されているが、例えば、これらが曲面状に一体的に形成されていてもよい。また、手かけ部材２０において、上壁部２１の開口部２１ａの開口形状は、図７では、排気口１４ａの開口形状と相似している。しかし、上壁部２１に形成された開口部２１ａの縁部が、平面視で排気口１４ａの開口内に位置していれば、開口部２１ａと排気口１４ａの開口形状は相似していなくてもよい。
【符号の説明】
【００４８】
１０  筐体、１０ａ  前側壁部、１０ａ１  開口部、１０ｂ  左側壁部、１０ｃ  後側壁部、１０ｄ  右側壁部、１０ｅ  底板、１１  加熱コイル、１１ａ  加熱コイル、１１ｂ  加熱コイル、１２  仕切板、１２ａ  平坦部、１２ａ１  ネジ孔、１２ａ２  係合孔、１２ｂ  水受け部、１２ｃ  奥壁部、１２ｄ  水抜き孔、１３  トッププレート、１４  排気口、１４ａ  排気口、１４ａ１  バーリング部、１４ｂ  排気口、１５  天板フレーム、１５ａ  前部枠体、１５ａ１  操作表示部、１５ｂ  後部枠体、１６  収納庫、１６ａ  扉体、１７  化粧パネル、１８  排気カバー、１８ａ  左排気カバー、１８ｂ  右排気カバー、１９  鍋、２０  手かけ部材、２１  上壁部、２１ａ  開口部、２２  前壁部、２３  膨出部、２４  指かかり部、２４ａ  突出部、２５  下段前壁部、２５ａ  通気孔、２５ｂ  係合部、２５ｃ  ネジ孔、２５ｄ  中間部、２５ｅ  上端部、２６  側壁部、２６ａ  側壁開口部、２６ｂ  下端部、２７  リブ、２７ａ  下端部、１００  加熱調理器。
【図１】
2018163805.tif 000003
【図２】
2018163805.tif 000004
【図３】
2018163805.tif 000005
【図４】
2018163805.tif 000006
【図５】
2018163805.tif 000007
【図６】
2018163805.tif 000008
【図７】
2018163805.tif 000009
【図８】
2018163805.tif 000010
【図９】
2018163805.tif 000011
【図１０】
2018163805.tif 000012
【図１１】
2018163805.tif 000013